(57)【要約】【課題】放送信号の記録中に受信チャンネルを変更した場合であっても、チャンネル変更前の記録信号とチャンネル変更後の記録信号との間に、乱れた信号や無音無映像信号が介在することのないデジタル放送受信記録装置を提供する。【解決手段】第１及び第２チューナ２，３と、切り替え部６と、切り替え部６からの出力信号に基づく放送番組データを記録する記録装置１１と、システム制御部１３とを有する。システム制御部１３は、切り替え部６が第１チューナ２の出力信号を出力しているときにチャンネル変更の指令が入力された場合に、第２チューナに新チャンネルを設定させ、この新チャンネルの放送信号に基づく出力信号であって記録装置１１に記録可能な信号が第２チューナ３から出力開始されるタイミング以降に、切り替え部６の出力を第１チューナ２の出力信号から第２チューナ３の出力信号に切り替える。【選択図】        図１
2005203834.tif 000002
【特許請求の範囲】
【請求項１】
受信チャンネルを設定し、この設定されたチャンネルの放送信号を受信する第１の受信手段と、
受信チャンネルを設定し、この設定されたチャンネルの放送信号を受信する第２の受信手段と、
前記第１の受信手段により受信された放送信号に基づく前記第１の受信手段からの出力信号及び前記第２の受信手段により受信された放送信号に基づく前記第２の受信手段からの出力信号を受け取り、前記第１の受信手段からの出力信号又は前記第２の受信手段からの出力信号のいずれかを選択的に出力する切り替え手段と、
前記切り替え手段から出力される信号に基づく放送番組データを記録する記録手段と、
前記第１の受信手段、前記第２の受信手段、前記切り替え手段、及び前記記録手段の動作を制御する制御手段と
を有し、
前記制御手段は、前記切り替え手段が前記第１の受信手段からの出力信号を選択して出力しているときにチャンネル変更の指令が入力された場合には、前記第２の受信手段に前記指令に基づく新チャンネルを設定させ、この新チャンネルの放送信号に基づく出力信号であって前記記録手段に記録可能な信号が前記第２の受信手段から出力開始されるタイミング以降に、前記切り替え手段の出力信号を前記第１の受信手段からの出力信号から前記第２の受信手段からの出力信号に切り替える
ことを特徴とするデジタル放送受信記録装置。
【請求項２】
前記制御手段は、前記切り替え手段が前記第２の受信手段からの出力信号を選択して出力しているときにチャンネル変更の指令が入力された場合には、前記第１の受信手段に前記指令に基づく新チャンネルを設定させ、この新チャンネルの放送信号に基づく出力信号であって前記記録手段に記録可能な信号が前記第１の受信手段から出力開始されるタイミング以降に、前記切り替え手段の出力信号を前記第２の受信手段からの出力信号から前記第１の受信手段からの出力信号に切り替えることを特徴とする請求項１に記載のデジタル放送受信記録装置。
【請求項３】
前記制御手段は、前記第１の受信手段からの出力信号を記録中にチャンネル変更を行い、前記記録手段に記録可能な信号が前記第２の受信手段から出力開始される前に、さらにチャンネル変更が発生した場合には、最後に発生したチャンネル変更によって前記第２の受信手段から記録可能な信号が出力開始されるタイミング以降に前記記録手段への入力を前記第１の受信手段から前記第２の受信手段へ切り替えるように、前記切り替え手段を制御することを特徴とする請求項１又は２のいずれかに記載のデジタル放送受信記録装置。
【請求項４】
前記制御手段は、前記第２の受信手段からの出力信号を記録中にチャンネル変更を行い、前記記録手段に記録可能な信号が前記第１の受信手段から出力開始される前に、さらにチャンネル変更が発生した場合には、最後に発生したチャンネル変更によって前記第１の受信手段から記録可能な信号が出力開始されるタイミング以降に前記記録手段への入力を前記第２の受信手段から前記第１の受信手段へ切り替えるように、前記切り替え手段を制御することを特徴とする請求項２に記載のデジタル放送受信記録装置。
【請求項５】
前記制御手段は、前記第１の受信手段からの出力信号に基づく放送番組データと前記第２の受信手段からの出力信号に基づく放送番組データとを、１つの放送番組データとして再生できるようにする情報を保持することを特徴とする請求項１から４までのいずれかに記載のデジタル放送受信記録装置。
【請求項６】
前記制御手段は、前記第１の受信手段からの出力信号に基づく放送番組データと前記第２の受信手段からの出力信号に基づく放送番組データとを、別個の放送番組データとして再生できるようにする情報を保持することを特徴とする請求項１から４までのいずれかに記載のデジタル放送受信記録装置。
【発明の詳細な説明】
【技術分野】
【０００１】
本発明は、デジタル放送信号を受信するデジタルチューナと、放送番組データを記録媒体に記録する記録装置とを備えたデジタル放送受信記録装置に関するものである。
【背景技術】
【０００２】
デジタルチューナは、受信チャンネルの選択操作がなされてから選択されたチャンネルの放送信号を出力し始めるまでに、ある程度の時間を要する。このような遅延の原因の一つは、デジタル放送で使用されている圧縮方式の符号化パラメータを知るための情報であるシーケンスヘッダを取得するまで、復号処理を開始できないことにある。デジタル放送におけるシーケンスヘッダは規格上０．５秒に１回送出されており、また、デジタルチューナの映像復号部における復号処理には最大で約１秒の時間を要し、さらに、デジタル復調部等における遅延があるので、チャンネルの変更には、衛星（ＢＳ）デジタル放送では合計で最大１．７秒程度、地上デジタル放送では合計で最大２．３秒程度の時間が必要になる。
【０００３】
このため、デジタル放送受信記録装置においてデジタル放送を録画中にチャンネルを変更した場合には、チャンネル変更処理の開始から終了までの数秒程度の間、乱れた信号が記録媒体に記録されることになる。従って、例えば、タイムシフト録画中にチャンネルを頻繁に変更した場合には、再生視聴時に乱れた映像・音声が頻繁に現れるので視聴者に苦痛を感じさせ、しかも、放送信号の一部が記録されない（即ち、乱れた信号に置き換えられる）という問題があった。ここで、「タイムシフト録画」とは、予め設定された一定時間の放送番組データが記録媒体に保持されるように現時点の放送番組データを記録し続け、視聴者が現在視聴している放送番組は記録された放送番組データを記録媒体から順次読み出したデータに基づくものであり、現在視聴している放送番組よりも時間を遡った番組の視聴を可能にする再生録画方法である。
【０００４】
【特許文献１】特開２００３−２６４７８０号公報
【発明の開示】
【発明が解決しようとする課題】
【０００５】
チャンネル変更時における映像・音声の乱れによる視聴者の苦痛を緩和する対策として、チャンネル変更時に発生する乱れた信号に対してミュートをかける（即ち、乱れた信号を、無音無映像信号で置き換える）録画再生装置の提案がある（例えば、特許文献１参照）。しかし、チャンネル変更時に発生する乱れた信号に対してミュートをかけた場合には、放送信号の一部が記録されないことになるという問題を解決できない。
【０００６】
そこで、本発明は、上記したような従来技術の課題を解決するためになされたものであり、その目的は、デジタル放送信号の記録中に受信チャンネルを変更した場合であっても、チャンネル変更前の記録信号とチャンネル変更後の記録信号との間に、乱れた信号や無音無映像信号が介在することのないデジタル放送受信記録装置を提供することにある。
【課題を解決するための手段】
【０００７】
本発明のデジタル放送受信記録装置は、受信チャンネルを設定し、この設定されたチャンネルの放送信号を受信する第１の受信手段と、受信チャンネルを設定し、この設定されたチャンネルの放送信号を受信する第２の受信手段と、前記第１の受信手段により受信された放送信号に基づく前記第１の受信手段からの出力信号及び前記第２の受信手段により受信された放送信号に基づく前記第２の受信手段からの出力信号を受け取り、前記第１の受信手段からの出力信号又は前記第２の受信手段からの出力信号のいずれかを選択的に出力する切り替え手段と、前記切り替え手段から出力される信号に基づく放送番組データを記録する記録手段と、前記第１の受信手段、前記第２の受信手段、前記切り替え手段、及び前記記録手段の動作を制御する制御手段とを有する。制御手段は、前記切り替え手段が前記第１の受信手段からの出力信号を選択して出力しているときにチャンネル変更の指令が入力された場合には、前記第２の受信手段に前記指令に基づく新チャンネルを設定させ、この新チャンネルの放送信号に基づく出力信号であって前記記録手段に記録可能な信号が前記第２の受信手段から出力開始されるタイミング以降に、前記切り替え手段の出力信号を前記第１の受信手段からの出力信号から前記第２の受信手段からの出力信号に切り替える。
【発明の効果】
【０００８】
本発明によれば、切り替え手段が第１の受信手段からの出力信号を選択して出力しているときに制御手段にチャンネル変更の指令が入力された場合には、制御手段は、第２の受信手段に前記指令に基づく新チャンネルを設定させ、この新チャンネルの放送信号に基づく出力信号であって記録手段に記録可能な信号が第２の受信手段から出力開始されるタイミング以降に、切り替え手段の出力信号を第１の受信手段からの出力信号から第２の受信手段からの出力信号に切り替えるので、チャンネル変更時に、乱れた信号が記録手段に記録されることはなく、その結果、無音無映像信号を記録する必要もないという効果がある。
【発明を実施するための最良の形態】
【０００９】
図１は、本発明の実施の形態に係るデジタル放送受信記録装置の構成を概略的に示すブロック図である。図１に示されるように、本実施の形態のデジタル放送受信記録装置は、放送電波（放送信号）を受信するアンテナ１と、放送信号の受信チャンネルを設定（選択）する第１チューナ２と、放送信号の受信チャンネルを設定（選択）する第２チューナ３と、第１チューナ２の出力信号の復調を行い視聴する番組の映像信号及び音声信号を生成する第１デジタル復調部４と、第２チューナ３の出力信号の復調を行い視聴する番組の映像信号及び音声信号を生成する第２デジタル復調部５とを有する。また、本実施の形態のデジタル放送受信記録装置は、第１デジタル復調部４、第２デジタル復調部５、記録装置１１、及び後述のデジタルマルチプレクサ７に接続され、信号経路を切り替える回路である切り替え部６を有する。また、本実施の形態のデジタル放送受信記録装置は、切り替え部６から出力される信号から映像信号及び音声信号を分離するデマルチプレクサ７と、多重分離された信号を復号するデコーダ８とを有する。さらに、本実施の形態のデジタル放送受信記録装置は、第１デジタル復調部４及び第２デジタル復調部５で復調された信号を記録するハードディスク等の記録装置１１と、記録装置１１への記録及び読み出しを制御する記録制御部１２と、システム全体を制御するシステム制御部１３とを有する。さらにまた、本実施の形態のデジタル放送受信記録装置は、視聴者が指令を入力する操作部としてのリモコン（遠隔操作装置）１５からの赤外線パルスを受光して、受光した赤外線パルスに対応する電気信号をシステム制御部１３に与える受光部１４を有する。なお、操作部は、リモコンに限定されず、デジタル放送受信記録装置本体に備えられた操作部であってもよい。
【００１０】
本実施の形態のデジタル放送受信記録装置は、例えば、ハードディスクレコーダ、ＤＶＤレコーダ、又は、パーソナルコンピュータである。また、図１に示されるように、デジタル放送受信記録装置には、デジタル放送受信記録機能を備えたテレビ受信機（蓄積型デジタル放送受信機）も含まれる。デジタル放送受信記録装置がテレビ受信機である場合には、図１に示されるように、本実施の形態のデジタル放送受信記録装置は、デコーダ８から出力される映像信号に基づく映像を表示する表示部２１と、デコーダ８からの音声信号に基づく音声を出力するスピーカ２２とを有する。
【００１１】
第１チューナ２は、システム制御部１３からの制御信号に従って受信チャンネルを設定し、この設定されたチャンネルの放送信号を受信する。また、第２チューナ３は、システム制御部１３からの制御信号に従って受信チャンネルを設定し、この設定されたチャンネルの放送信号を受信する。
【００１２】
切り替え部６は、システム制御部１３からの制御信号に従って、第１チューナ２から出力され第１デジタル復調部４で復調されたトランスポートストリーム（ＴＳ：Ｔｒａｎｓｐｏｒｔ  Ｓｔｒｅａｍ）信号（以下「第１のＴＳ信号」とも言う）及び第２チューナ３から出力され第２デジタル復調部４により復調されたＴＳ信号（以下「第２のＴＳ信号」とも言う）を受け取り、いずれかのＴＳ信号を選択的に記録装置１１に対して出力することができる。これと並行して、切り替え部６は、システム制御部１３からの制御信号に従って、第１チューナ２から出力され第１デジタル復調部４で復調された第１のＴＳ信号、第２チューナ３から出力され第２デジタル復調部４により復調された第２のＴＳ信号、及び記録装置１１から出力された再生信号を受け取り、いずれかの信号を選択的にデマルチプレクサ７に対して出力することができる。
【００１３】
システム制御部１３は、切り替え部６が第１チューナ２から出力され第１デジタル復調部４で復調された第１のＴＳ信号を選択して出力しているときに、リモコン１５からチャンネル変更の指令が入力された場合には、このチャンネル変更の指令に基づく新チャンネルを第２チューナ３に設定させる。そして、この新チャンネルの放送信号に基づく出力信号であって記録装置１１に記録可能な信号が第２デジタル復調部５から出力開始されるタイミング以降に、切り替え部６の出力信号を第１デジタル復調部４からの第１のＴＳ信号から第２デジタル復調部５からの第２のＴＳ信号に切り替える。このように制御すれば、第１チューナ２で設定されたチャンネルのデジタル放送番組を記録装置１１に記録している際に、チャンネル変更を実施した場合には、第２チューナ３でチャンネル変更後の番組が記録できる状態になるまではチャンネル変更前の番組を記録し続け、第２チューナ３でチャンネル変更後の番組が記録できる状態になった時点以降に、切り替え部６からの出力を切り替えるので、チャンネル変更時に、乱れた信号が記録装置１１に記録されることはなくなり、その結果、無音無映像信号を記録する必要がなくなる。
【００１４】
また、システム制御部１３は、切り替え部６が第２チューナ３から出力され第２デジタル復調部５で復調された第２のＴＳ信号を選択して出力しているときに、リモコン１５からチャンネル変更の指令が入力された場合には、このチャンネル変更の指令に基づく新チャンネルを第１チューナ２に設定させる。そして、この新チャンネルの放送信号に基づく出力信号であって記録装置１１に記録可能な信号が第１デジタル復調部４から出力開始されるタイミング以降に、切り替え部６の出力信号を第２デジタル復調部５からの第２のＴＳ信号から第１デジタル復調部４からの第１のＴＳ信号に切り替える。このように制御すれば、第２チューナ３で設定されたチャンネルのデジタル放送番組を記録装置１１に記録している際に、チャンネル変更を実施した場合には、第１チューナ２でチャンネル変更後の番組が記録できる状態になるまではチャンネル変更前の番組を記録し続け、第１チューナ２でチャンネル変更後の番組が記録できる状態になった時点以降に、切り替え部６からの出力を切り替えるので、チャンネル変更時に、乱れた信号が記録装置１１に記録されることはなくなり、その結果、無音無映像信号を記録する必要がなくなる。
【００１５】
また、システム制御部１３は、第１デジタル復調部４からの第１のＴＳ信号を記録中にチャンネル変更を行い、記録装置１１に記録可能な信号が第２デジタル復調部５から出力開始される前に、さらにチャンネル変更が発生した場合には、最後に変更したチャンネル選択によって第２デジタル復調部５から記録装置１１に記録可能な信号が出力開始されるタイミング以降に、記録装置１１への入力を第１デジタル復調部４からの第１のＴＳ信号から第２デジタル復調部５からの第２のＴＳ信号へ切り替えるように、切り替え部６を制御することもできる。このように制御することにより、録画の必要性の低いと思われる短時間のチャンネル選択による短時間の放送信号を、記録装置１１に記録させないことができる。
【００１６】
また、システム制御部１３は、第２デジタル復調部５からの第２のＴＳ信号を記録中にチャンネル変更を行い、記録装置１１に記録可能な信号が第１デジタル復調部４から出力開始される前に、さらにチャンネル変更が発生した場合には、最後に変更したチャンネル選択によって第１デジタル復調部４から記録装置１１に記録可能な信号が出力開始されるタイミング以降に、記録装置１１への入力を第２デジタル復調部５からの第２のＴＳ信号から第１デジタル復調部４からの第１のＴＳ信号へ切り替えるように、切り替え部６を制御することもできる。このように制御することにより、録画の必要性の低いと思われる短時間のチャンネル選択による短時間の放送信号を記録装置１１に記録させないことができる。
【００１７】
さらに、システム制御部１３は、記録装置１１に記録された第１チューナ２からの出力信号に基づく放送番組データと第２チューナ３からの出力信号に基づく放送番組データとを、１つの放送番組データとして再生できるようにする情報を保持することもできる。この場合には、一つのチューナで記録した場合と同様に、異なるチューナで受信して記録された放送番組を連続的に再生視聴することができ、視聴者に違和感を与えない映像を提供できる。また、システム制御部１３は、第１チューナ２からの出力信号に基づく放送番組データと第２チューナ３からの出力信号に基づく放送番組データとが、別個の放送番組データとして再生できるようにする情報を保持することもできる。この場合には、乱れた信号が記録装置１１に記録されることはなく、その結果、無音無映像信号を記録する必要もない。
【００１８】
次に、本実施の形態のデジタル放送受信記録装置を詳細に説明する。アンテナ１で受信された放送電波は、第１チューナ２及び第２チューナ３のそれぞれによって選択抽出される。リモコン１５で入力されたチャンネル選択情報が、受光部１４を経由してシステム制御部１３に入力されると、システム制御部１３は、第１チューナ２又は第２チューナ３にチャンネル選択情報に基づくチャンネルの放送信号を抽出させる。視聴を始めたチャンネルをチャンネルＡとし、チャンネルＡの放送信号を第１チューナ２が受信しているときには、第１チューナ２から出力される信号は第１デジタル復調部４によって復調され映像信号等が生成される。第１デジタル復調部４によって復調された信号は、トランスポートストリーム（ＴＳ）信号である。デジタル放送の規格では、このＴＳ信号に、映像と音声が圧縮されたデータのほか、同期再生するための情報、番組内容に関する情報、テキストや静止画データ等が多重化された構成となっている。視聴にあたっては、システム制御部１３は、切り替え部６を制御して第１デジタル復調部４からの信号をデマルチプレクサ７へ流すようにする。図２に、このときの切り替え部６の内部結線及び信号の流れＡ１を示す。デマルチプレクサ７はＴＳ信号に対して多重分離を行い、圧縮された映像信号と音声信号を抽出する。これら圧縮された映像信号と音声信号はデコーダ８へ入力され、ここで伸張される。伸張された映像信号と音声信号はそれぞれ表示部２１とスピーカ２２へ入力され、映像の表示及び音声の出力がなされる。
【００１９】
次に、視聴中の番組を記録装置１１へ記録する処理について図３及び図４のフローチャートを参照しながら説明する。視聴が開始されると、システム制御部１３は、図２に示されるように、切り替え部６を制御し、第１デジタル復調部４からの信号をデマルチプレクサ７へ流すようにする（ステップＳ１）。次に、録画を開始するか否かの判定待ちとなる（ステップＳ２）。ここで、リモコン１５によって録画の開始指示をシステム制御部１３へ通知すると、システム制御部１３は切り替え部６を制御し、第１デジタル復調部４から出力されるＴＳ信号を、デマルチプレクサ７だけでなく、記録装置１１へも出力させるようにする（ステップＳ３）。図５に、このときの切り替え部６の内部結線及び信号の流れＡ２を示す。次に、記録制御部１２は、システム制御部１３からの記録開始指示を受け、記録装置１１に対して記録動作開始を指示する（ステップＳ４）。このとき、記録制御部１２は記録装置１１の書き込み位置を制御し、記録装置１１は、順次送られてくるＴＳ信号を、書き込み位置を制御しながら書き込む。この書き込み位置の情報は、システム制御部１３のリクエストによって、記録制御部１２からシステム制御部１３に通知される。この通知によって、システム制御部１３は、番組を記録した際に記録装置１１のどの位置にどの番組が記録されているかを把握する。また、記録装置１１上でチャンネルＡのＴＳ信号を記録開始した位置に関する情報は、記録装置１１上の所定の場所に記録される。このＴＳ信号を記録開始した位置に関する情報は、システム制御部１３が記録制御部１２に対して読み出し制御を行う場合に使用する。
【００２０】
ここで、チャンネルを変更して別チャンネルであるチャンネルＢにした場合について説明する。リモコン１５からのチャンネル選択情報をシステム制御部１３が受け取り、チャンネル変更がなされた場合（ステップＳ５）、既にチャンネルＡを第１チューナ２、及び、第１デジタル復調部４で受信しているので、チャンネルＢは第２チューナ３、及び、第２デジタル復調部５で受信する（ステップＳ６）。第２デジタル復調部５で復調して生成されたチャンネルＢのＴＳ信号は、切り替え部６へと入力される。システム制御部１３は、チャンネルＢのＴＳ信号をデマルチプレクサ７へ流すように切り替え部６を制御する（ステップＳ７）。図６に、このときの切り替え部６の内部結線及び信号の流れＡ３及びＢ３を示す。図６に示されるように、チャンネルＡのＴＳ信号は、デマルチプレクサ７へは伝送されなくなり、記録装置１１へのみ伝送されるように切り替えられ、記録装置１１はチャンネルＡのＴＳ信号の記録を続ける。デマルチプレクサ７へ入力されたチャンネルＢのＴＳ信号は、多重分離されて圧縮映像信号、圧縮音声信号が生成される。これら圧縮映像信号、圧縮音声信号はデコーダ８で伸張され、表示部２１とスピーカ２２へ伝送される。これによって視聴者は、チャンネルＢの番組を視聴することができる。ただし、チャンネルＢの放送を視聴できるようになるまでには、最大で２．３秒程度（地上デジタル放送の場合）かかる。切り替え処理の間は、本来の放送番組とは関係のない乱れた映像・音声が出力されることになる（以下の説明では、便宜上、チャンネル変更によって乱れた映像・音声が出力される期間を「無音無映像期間」とも言う」。図３におけるステップ７の次に、ＴＳ信号が第２デジタル復調部５から出力開始されるタイミングで生じる割り込み処理をイネーブル（有効）に設定する（ステップＳ８）。
【００２１】
次に、チャンネル変更時の記録動作の制御について説明する。第２デジタル復調部５は、チャンネルＢのＴＳ信号を生成し、記録装置１１に記録可能なＴＳ信号を出力開始するタイミングをシステム制御部１３へ通知する。これによって、システム制御部１３は、変更後のチャンネルＢについて、記録装置１１が記録可能な信号の出力準備が整ったことを知ることができる。図４は、この通知に該当する割り込みをシステム制御部１３が受け、そのときに実施する処理を示すフローチャートである。システム制御部１３が割り込みを受けると、システム制御部１３は、多重割り込みを避けるために、割り込みをディスエーブル（無効）に設定する（ステップＳ２１）。次に、システム制御部１３は、第２デジタル復調部５で生成されるチャンネルＢのＴＳ信号を、記録装置１１に流すように切り替え部６を制御する（ステップＳ２２）。これによって、記録装置１１には、いままでチャンネルＡのＴＳ信号が記録されていたが、チャンネルＢのＴＳ信号の記録に切り替わる。図７は、このときの切り替え部６の内部結線及び信号の流れＢ４を示す図である。図４におけるステップＳ２２の後、割り込み処理を終了する（ステップ２３）。
【００２２】
図８は、本実施の形態のデジタル放送受信記録装置における視聴、録画、及び各チューナの使用状態を示すタイミング図である。図８において、横軸は時間を示している。リアルタイムで視聴している映像は、チャンネルの切り替わりにおいて無音無映像期間が存在することになるが、録画にあたっては、この期間について切り替え前のチャンネル（チャンネルＢに対してはチャンネルＡ）を記録する。このとき、無音無映像期間においては、第１チューナ２及び第１デジタル復調部４、並びに、第２チューナ３及び第２デジタル復調部５が、同時に機能していることになる。
【００２３】
なお、無音無映像期間中において、リモコン１５からチャンネルの変更指示があった場合、システム制御部１３はそれまで第２チューナ３で受信していた放送の受信を中止し、新たに第２チューナ３を制御して該当する放送を受信する。また、システム制御部１３は、第２デジタル復調部５に復調中のデータ等が残されていた場合には直ちに消去するように第２デジタル復調部５を制御する。この間、チャンネルＡのＴＳ信号の記録装置１１への記録は継続している。
【００２４】
第２チューナ３で受信したチャンネルＢのＴＳ信号を記録し始めた時点ｔ１１で、第１チューナ２及び第１デジタル復調部４はチャンネルＡを受信する必要がなくなる。次に、リモコン１５でチャンネルＣを選択した場合について説明する。なお、この場合の、制御フローは、図３におけるステップＳ５からステップＳ８までの繰り返しに相当する。
【００２５】
システム制御部１３が、リモコン１５からチャンネルＣのチャンネル選択情報を受け取ると、システム制御部１３は、第１チューナ２が放送電波からチャンネルＣの信号を抽出するように、第１チューナ２を制御する。第１チューナ２からの出力信号は、第１デジタル復調部４によって復調され、チャンネルＣのＴＳ信号が生成される。視聴にあたっては、システム制御部１３は、切り替え部６を制御して、第１デジタル復調部４からのＴＳ信号を、デマルチプレクサ７へ流すようにする。図９に、このときの切り替え部６の内部結線及び信号の流れＡ５，Ｂ５を示す。デマルチプレクサ７は、ＴＳ信号に対して多重分離を行い、圧縮された映像信号と音声信号を抽出する。映像表示及び音声出力に関しては、前述のチャンネルＡの視聴の場合と同様である。
【００２６】
次に、チャンネルＢからチャンネルＣへのチャンネル変更の制御について図３及び図４を参照しながら説明する。システム制御部１３は、チャンネル変更指示を受け取ると（ステップＳ５）、第１チューナ２でチャンネルＣが受信されるように、第１チューナ２を制御する（ステップＳ６）。また、システム制御部１３は、第１デジタル復調部４から生成されるチャンネルＣのＴＳ信号を、デマルチプレクサ７へ流すように、切り替え部６を制御する（ステップＳ７）。そして、チャンネルＣのＴＳ信号が出力開始となるタイミングで発生する割り込みを、イネーブル（有効）にする（ステップＳ８）。第１デジタル復調部４は、記録装置１１に記録可能なチャンネルＣのＴＳ信号が出力開始されるタイミングを、システム制御部１３へ通知する。これによって、システム制御部１３は、変更後のチャンネルＣについて、記録装置１１が記録可能な信号の出力準備が整ったことを知ることができる。この通知を受けたシステム制御部１３は、切り替え部６を制御し、図８の時刻ｔ１２において、記録装置１１へ通すＴＳ信号を、第１デジタル復調部４から生成されるチャンネルＣのＴＳ信号に切り替える（ステップＳ２２）。このとき第２デジタル復調部５で生成されるチャンネルＢのＴＳ信号は、デマルチプレクサ７へ流れるようになった状態のままである。図５に、このときの切り替え部６の内部結線及び信号の流れＡ２を示す。これによって、記録装置１１にはチャンネルＢのＴＳ信号が記録されていたが、チャンネルＣのＴＳ信号の記録に切り替わる。
【００２７】
以上のように図８に示されるようなタイミングで、チャンネルが切り替わる度に、第１チューナ２及び第１デジタル復調部４と、第２チューナ３及び第２デジタル復調部５とのいずれかに切り替えることで、本来の放送番組とは無関係な映像・音声を記録することなく、さらに録画映像に関しては時間的な飛びが発生しない形で記録が行われる。
【００２８】
次に、本実施の形態のデジタル放送受信記録装置における再生の手順について図８及び図１０を参照しながら説明する。ここで、図１０は、記録装置１１に記録されたＴＳ信号の論理的なデータ空間の一例を示す説明図である。チャンネルＡの記録を開始してから、チャンネルＢへチャンネル変更した場合、デジタル放送受信記録装置は、図８の時刻ｔ１１において、それまで記録していたチャンネルＡのＴＳ信号ではなくチャンネルＢのＴＳ信号を記録し始める。また、図８の時刻ｔ１２においては、デジタル放送受信記録装置は、チャンネルＢのＴＳ信号ではなくチャンネルＣのＴＳ信号を記録し始める。このように記録制御部１２は、切り替え部６からのＴＳ信号を一連のＴＳ信号として（即ち、一連の同一チャンネルのＴＳ信号と同様の記録形式で）記録する。録画した番組をユーザーが視聴する場合には、システム制御部１３は、記録装置１１の所定の場所に記録されたチャンネルＡの録画開始位置から読み出すように、記録制御部１２に指示を出す。記録制御部１２は、チャンネルＡの録画開始位置を探し出し、記録装置１１からデータの読み出しを開始する。システム制御部１３は、切り替え部６を、記録装置１１から出力される信号をデマルチプレクサ７へ通すように制御する。図１１に、このときの切り替え部６の内部結線及び信号の流れＣ６を示す。記録装置１１から読み出された信号は、順次デマルチプレクサ７及びデコーダ８を経由して表示部２１及びスピーカ２２に与えられ、映像及び音声が出力される。
【００２９】
なお、本実施の形態では、チャンネルＡの録画開始位置のみを記録した場合について説明したが、チャンネルＢ及びチャンネルＣの録画開始位置も記録装置１１の所定の場所へ記録し、再生にあたってはシステム制御部１３から所望のチャンネルの録画開始位置を録画制御部へ指示してもよい。図１２に各チャンネルの記録開始位置情報を記録した記録管理テーブルの一例を示す。チャンネル変更によってチャンネル変更後の放送信号が記録されるときに、各チャンネルの記録開始位置は、図１２に示す所定の領域に順次記録されていく。この情報はシステム制御部１３が記録制御部１２を通じて知ることができるものである。録画した番組を再生するにあたっては、リモコン１５の指示によってチャンネルＡ、チャンネルＢ、チャンネルＣのいずれかを選択する。選択したチャンネルが例えば、チャンネルＢである場合、チャンネルＢの録画開始位置から再生するように指示を録画制御部１２に送る。録画制御部１２はこの指示を受けると録画装置１１に対して該当の位置から読み出しを行う。読み出しされた信号は切り替え部６を通してマルチプレクサ７及びデコーダ８を経由し、映像は表示部２１へ表示され音声はスピーカ２２から出力される。これによってユーザーが希望するチャンネルのみを視聴することができる。
【図面の簡単な説明】
【００３０】
【図１】本発明の実施の形態に係るデジタル放送受信記録装置の構成を概略的に示すブロック図である。
【図２】本実施の形態のデジタル放送受信記録装置における切り替え部（第１チューナからの信号を視聴するとき）の内部結線及び信号の流れを示す説明図である。
【図３】本実施の形態のデジタル放送受信記録装置の動作を示すフローチャートである。
【図４】本実施の形態のデジタル放送受信記録装置における割り込み処理を示すフローチャートである。
【図５】本実施の形態のデジタル放送受信記録装置における切り替え部（第１チューナからの信号を視聴及び録画するとき）の内部結線及び信号の流れを示す説明図である。
【図６】本実施の形態のデジタル放送受信記録装置における切り替え部（第１チューナからの信号を、第２チューナからの信号に切り替える途中）の内部結線及び信号の流れを示す説明図である。
【図７】本実施の形態のデジタル放送受信記録装置における切り替え部（第２チューナからの信号を視聴及び録画するとき）の内部結線及び信号の流れを示す説明図である。
【図８】本実施の形態のデジタル放送受信記録装置における録画動作を示すタイミング図である。
【図９】本実施の形態のデジタル放送受信記録装置における切り替え部（第２チューナからの信号を、第１チューナからの信号に切り替える途中）の内部結線及び信号の流れを示す説明図である。
【図１０】本実施の形態における記録媒体上の論理的なデータ空間の一例を示す説明図である。
【図１１】本実施の形態のデジタル放送受信記録装置における切り替え部（再生時）の内部結線及び信号の流れを示す説明図である。
【図１２】本実施の形態における記録管理テーブルの一例を示す説明図である。
【符号の説明】
【００３１】
１  アンテナ、  ２  第１チューナ、  ３  第２チューナ、  ４  第１デジタル復調部、  ５  第２デジタル復調部、  ６  切り替え部、  ７  デマルチプレクサ、  ８  デコーダ、  １１  記録装置、  １２  記録制御部、  １３  システム制御部、  １４  受光部、  １５  リモコン、  ２１  表示部、  ２２  スピーカ。
【図１】
2005203834.tif 000003
【図２】
2005203834.tif 000004
【図３】
2005203834.tif 000005
【図４】
2005203834.tif 000006
【図５】
2005203834.tif 000007
【図６】
2005203834.tif 000008
【図７】
2005203834.tif 000009
【図８】
2005203834.tif 000010
【図９】
2005203834.tif 000011
【図１０】
2005203834.tif 000012
【図１１】
2005203834.tif 000013
【図１２】
2005203834.tif 000014